(57)【要約】本発明は、受け口部品（２）を備えた車両内装トリム部品の連結手段（１）に関する。受け口部品（２）は、末端継手（４）を、好ましくは可逆的に受容する。末端継手は、ストッパ面（５）を備えた構造部品に設けられる。ストッパ面（５）は、連結状態において、受け口部材（２）の支承面（２．１）に当接する。
2015513651.tif 000002
【特許請求の範囲】
【請求項１】
末端継手（４）を、好ましくは可逆的に受容する受け口部品（２）を有する車両内装トリム部品の連結手段（１）であって、
前記末端継手は、連結状態において前記受け口部品（２）の支承面（２．１）に当接するストッパ面（５）を備えたコンポーネントに設けられる連結手段（１）。
【請求項２】
前記継手（４）の前記受け口部品（２）内への最大侵入深さ（Ｘ１）は、前記末端継手（４）と前記ストッパ面（５）との間隔（Ｘ１）に対応する、請求項１に記載の連結手段（１）。
【請求項３】
前記継手は、締結手段（６）を介して前記コンポーネントに締結される、請求項１又は２に記載の連結手段（１）。
【請求項４】
前記連結手段（６）の自由長さ（Ｘ１）は、前記継手の前記受け口部品（２）内への侵入深さ（Ｘ１）に対応する、請求項３に記載の連結手段（１）。
【請求項５】
前記受け口部品（２）は開口（２．２）を有し、
前記開口（２．２）のサイズは、前記末端継手（４）によって可逆的に変えることができる、請求項１から４のいずれか一項に記載の連結手段（１）。
【請求項６】
前記開口（２．２）の中には手段（３．１）が突出し、
前記手段（３．１）によって前記開口（２．２）の断面積（Ｑ’）を変えることができる、請求項５に記載の連結手段（１）。
【請求項７】
前記手段（３．１）は、前記受け口部品の中に変位可能に設けられた摺動子（３）に設けられる、請求項６に記載の連結手段（１）。
【請求項８】
前記摺動子（３）は、前記開口（２．２）に向かって付勢される、請求項７に記載の連結手段（１）。
【請求項９】
力伝達手段の２つのセグメントを連結する、請求項１から８のいずれか一項に記載の連結手段（１）。
【請求項１０】
前記受け口部品（２）と前記末端継手との連結を解放する手段を有する、請求項１から９のいずれか一項に記載の連結手段（１）。
【発明の詳細な説明】
【技術分野】
【０００１】
本発明は、末端継手を、好ましくは可逆的に受容する受け口部品を備えた車両内装トリム部品の連結手段に関する。
【背景技術】
【０００２】
このタイプの連結手段は、例えば特許文献１のような先行技術により周知である。
【先行技術文献】
【特許文献】
【０００３】
【特許文献１】独国特許第１０  ２００７  ０４１  ６１３（Ｂ４）号明細書
【発明の概要】
【発明が解決しようとする課題】
【０００４】
本発明の課題は、このタイプの連結手段をさらに改善することにある。
【課題を解決するための手段】
【０００５】
本課題は、末端継手を、好ましくは可逆的に受容する受け口部品を有する車両内装トリム部品の連結手段によって解決される。末端継手は、ストッパ面を備えたコンポーネントに設けられる。ストッパ面は、連結された状態において受け口部品の支承面に当接する。
【０００６】
本発明は、末端継手を、好ましくは可逆的に受容する受け口部品を備えた車両内装トリム部品の連結手段に関する。末端継手は、受け口部品の中に導入することができる所望の任意コンポーネントであり得る。末端継手は、受け口部品の中への導入中に、少なくとも部分的に、特に可逆的に変形することができる。例えば、末端継手は、球状又は円筒状設計である。当該球状の継手が、車両内装トリムのコンポーネントに設けられる。コンポーネントは、連結状態において、すなわち末端継手が受け口部品の中に位置決めされた時に、受け口部品の支承面に当接するストッパ面を有する。その結果、本発明に係る連結手段は遊びなしとなる。継手の受け口部品への最大侵入深さは、末端継手とストッパ面との間隔に対応するのが好ましい。
【０００７】
さらに、継手は、連結手段を介してコンポーネントに締結されるのが好ましい。連結手段は例えば、例えばケーブル、特には鋼鉄製ケーブル、例えばボーデンケーブルの芯線のような可撓性連結手段であり得る。しかしながら、連結手段は剛性であってよい。末端継手は、圧力嵌め、形状嵌めのロック、及び／又は物質同士の接続によって当該ケーブルに連結されるのが好ましい。連結手段の自由長さ、すなわち継手とストッパ面との間の長さは、継手の受け口部品内への侵入深さに対応するのが好ましい。その結果、本発明に係る連結手段は遊びなしとなる。
【０００８】
さらに、受け口部品は、末端継手によって可逆的にサイズ変更可能な開口を有することが好ましい。末端継手の受け口部品内への導入中、当該開口は、好ましくは拡大され、特に好ましくは、末端継手が受け口部品の中に位置決めされるとすぐに、少なくとも部分的に元のサイズに戻る。例えば突起のような手段が、開口の中に突出することが好ましい。突起によって開口の断面積を変えることができる。手段は、受け口部品の中で長手方向に変位可能に設けられた摺動子に設けられることが好ましい。摺動子は、開口に向かって弾性的に付勢されることが特に好ましい。
【０００９】
連結手段は特に、例えばボーデンケーブルのような、特には引張力伝達手段である力伝達手段の２つのセグメントを連結するのに適切である。伝達手段は、ボーデンケーブルの芯線であることが好ましい。
【００１０】
連結手段は、受け口部品と末端継手との連結を解放する手段を有することが好ましい。
【図面の簡単な説明】
【００１１】
以下の記載において、本発明が図１のみを使用して説明される。かかる説明は単なる例示であって、本発明の一般概念を制限しない。
【００１２】
【図１】本発明に係る連結手段１を示す。
【発明を実施するための形態】
【００１３】
図１は、本発明に係る連結手段１を示す。これは、開口２．２を備えた受け口部品２を有する。さらに、本発明に係る連結手段は、ストッパ面５を備えたコンポーネントを有する。ストッパ面５上には、締結手段６を介して末端継手４が設けられる。そのコンポーネントを受け口部品２に連結するべく、末端継手４が、開口２．２を通って受け口部品の中に導入される。ここで、摺動子３に設けられた突起３．１が、左へ変位して開口２．２の断面積Ｑ’を完全に解放する。その結果、継手４を、開口を通して受け口部品の中に導入することができる。継手４が完全に受け口部品の中に位置決めされるとすぐに、例えばばねによって開口２．２に向かって付勢される摺動子が自動的に戻り、ひいては開口２．２の断面積Ｑ’を低減する。このようにして、継手４の断面積Ｑがもはや、低減された開口２．２を通り抜けることがなくなり、かつ、末端継手４が受け口部品２の突出部２．３の裏に留められる。本発明によれば、この場合、突出部２．３の厚さＸ１及び締結手段６の長さＸ１が、少なくとも実質的に同一となるように設けられる。その結果、当該コンポーネントのストッパ面５が、継手４が突出部２．３の裏に位置決めされるとすぐに、受け口部品２の支承面２．１に当接する。その結果、本発明に係る連結手段は、遊びなしとなる。その結果、特に引張力のような力を、遊びなし、かつ、がたつき音なしで伝達することができる。
【符号の説明】
【００１４】
１  連結手段
２  受け口部品
２．１  受け口部品の支承面
２．２  受け口部品の開口
２．３  突出部
３  摺動子
３．１  手段、突起
４  末端継手
５  ストッパ面
６  締結手段
Ｑ  末端継手の断面積
Ｑ’  開口２．２の断面積
Ｘ１  末端継手の受け口部品内への最大侵入深さ
Ｘ１  末端継手４とストッパ面５との間隔、締結手段６の自由長さ
【図１】
2015513651.tif 000003
【国際調査報告】
2015513651.tif 000004
2015513651.tif 000005
2015513651.tif 000006
2015513651.tif 000007